(57)【要約】【課題】押圧式スイッチを反応させるために必要な押込力を増加させないようにしながら、キートップのぐらつきを抑え、防水機能を確実に発揮させる。【解決手段】正面側キャビネット３に設けた開口部３ｂからキートップ１０が覗く押しボタン９を有する携帯電話機において、一方に長いキートップ１０に、正面側キャビネット３内の回路基板５に電気的に接続された押圧式スイッチ６と、キートップ１０が押圧されたときに押圧式スイッチ６に当接して押圧式スイッチ６を押圧する押圧部８ａを有する防水シート８とを設ける。キートップ１０の長手方向両端において、開口部周縁裏面３ｃに当接するクッション部材１３を設ける。【選択図】図１
2014135179.tif 000002
【特許請求の範囲】
【請求項１】
筐体に設けた開口部から一方に長いキートップが覗く押しボタンを有する携帯端末において、
上記筐体内の回路基板に電気的に接続された押圧式スイッチと、
上記キートップが押圧されたときに、上記押圧式スイッチに当接して該押圧式スイッチを押圧する押圧部を有する防水シートと、
上記キートップの長手方向両端に設けられ、上記開口部周縁裏面に当接する弾性部材とを備えている
ことを特徴とする携帯端末。
【請求項２】
請求項１に記載の携帯端末において、
上記弾性部材は、上記キートップの長手方向両端に設けたフランジの開口部周縁裏面側に一体成形されたエラストマー部材である
ことを特徴とする携帯端末。
【請求項３】
請求項２に記載の携帯端末において、
上記エラストマー部材は、上記開口部周縁裏面に向かって先細となっている
ことを特徴とする携帯端末。
【請求項４】
請求項３に記載の携帯端末において、
上記エラストマー部材は、中空である
ことを特徴とする携帯端末。
【請求項５】
請求項１に記載の携帯端末において、
上記弾性部材は、上記キートップの長手方向両端に設けたフランジの開口部周縁裏面側に貼り付けられたクッション部材であり、
上記フランジは、上記開口部周縁裏面に対して平行な平坦面と該平坦面に対して傾斜する傾斜面とを有し、該平坦面及び傾斜面に上記クッション部材が貼り付けられている
ことを特徴とする携帯端末。
【発明の詳細な説明】
【技術分野】
【０００１】
本発明は、筐体に設けた開口部からキートップが覗く押しボタンを有する携帯端末に関するものである。
【背景技術】
【０００２】
従来より、この種の携帯端末として、例えば、特許文献１のスイッチボタン装置を有するものでは、ボタンに設けた鍔と開口部周縁裏面との間にパッキンを圧接状態で設け、ボタンを支持体で片持ち支持している。
【先行技術文献】
【特許文献】
【０００３】
【特許文献１】特開２００４−８７３２９号公報
【発明の概要】
【発明が解決しようとする課題】
【０００４】
しかしながら、上記特許文献１の携帯端末では、パッキンを常に圧接状態に保つために複雑な支持構造が設けられるので、広い設置スペースを必要とするという問題がある。支持構造側に十分なスペースを保てないと、パッキンの予圧を増やした場合に押圧式スイッチを反応させるための押込力が大きくなり、キートップを押したときの感触が悪くなる。
【０００５】
一方で、パッキンを開口部周縁裏面に十分に押し付けなければ、特にキートップが一方に長い形状の場合、その長手方向にキートップがぐらつき、振動により精密回路の動作に影響が出たり、不快な振動音を発生させたり、防水及び防塵効果を発揮できなかったりするという問題がある。
【０００６】
本発明は、かかる点に鑑みてなされたものであり、その目的とするところは、押込力を増加させないようにしながら、キートップのぐらつきを抑え、防水機能を確実に発揮させることにある。
【課題を解決するための手段】
【０００７】
上記の目的を達成するために、この発明では、キートップの長手方向両端に弾性部材を設けた。
【０００８】
具体的には、第１の発明では、
筐体に設けた開口部から一方に長いキートップが覗く押しボタンを有する携帯端末を対象とし、
上記携帯端末は、
上記筐体内の回路基板に電気的に接続された押圧式スイッチと、
上記キートップが押圧されたときに、上記押圧式スイッチに当接して該押圧式スイッチを押圧する押圧部を有する防水シートと、
上記キートップの長手方向両端に設けられ、上記開口部周縁裏面に当接する弾性部材とを備えている。
【０００９】
上記の構成によると、キートップの長手方向両端に弾性部材を設け、開口部周縁裏面に当接させているので、キートップが長手方向でぐらつかない。また、防水シートをキートップと押圧式スイッチとの間に設けているので、弾性部材を防水のために大きな力で圧接させる必要が無い。このため、複雑な支持構造を必要としないので、小さなスペースでも配置できる。
【発明の効果】
【００１０】
以上説明したように、本発明によれば、キートップの長手方向両端に開口部周縁裏面に当接する弾性部材を設けると共に、押圧部を有する防水シートをキートップと押圧式スイッチとの間に設けたことにより、押圧式スイッチを反応させるために必要な押込力を増加させないようにしながら、キートップのぐらつきを抑え、防水機能を確実に発揮させることができる。
【図面の簡単な説明】
【００１１】
【図１】図２（ｂ）のＩ−Ｉ線拡大断面図である。
【図２】本発明の実施形態に係る携帯電話機の主要部を示し、（ａ）が正面側から見た斜視図であり、（ｂ）が側面図である。
【図３】正面側キャビネット、回路基板及び押しボタンを示す分解斜視図である。
【図４】図２（ｂ）のIV−IV線拡大断面図である。
【図５】実施形態の変形例１に係る図１相当図である。
【図６】実施形態の変形例１に係る図４相当図である。
【図７】実施形態の変形例２に係る図１相当図である。
【図８】実施形態の変形例３に係る図１相当図である。
【図９】実施形態の変形例４に係る図１相当図である。
【発明を実施するための形態】
【００１２】
以下、本発明の実施形態を図面に基づいて説明する。
【００１３】
図２は、本発明の実施形態に係る携帯端末としての携帯電話機１の主要部を示し、（ａ）が正面側から見た斜視図であり、（ｂ）が右側面図である。図１は、図２（ｂ）のＩ−Ｉ線拡大断面図であり、図３は、正面側キャビネット、回路基板及び押しボタンを示す分解斜視図である。図４は、図２（ｂ）のIV−IV線拡大断面図である。詳しくは図示しないが、携帯電話機１は、正面側に表示部を収容する筐体としての正面側キャビネット３と、この正面側キャビネット３の背面側に結合される背面側キャビネット４と、この背面側キャビネット４の背面を覆うリアカバーとを備えている。正面側キャビネット３は、例えば、金属フレーム３ａがインサート成形された略矩形状の樹脂成形品よりなる。
【００１４】
携帯電話機１は、正面側キャビネット３に設けた開口部３ｂからキートップ１０が覗く押しボタン９を有する。具体的には、図１にも示すように、正面側キャビネット３の金属フレーム３ａの背面側には、携帯電話機１を制御する回路基板５が収容されている。この回路基板５の背面には、押圧式スイッチ６が設けられ、回路基板５に電気的に接続されている。この押圧式スイッチ６に合わせて正面側キャビネット３には、矩形状の開口部３ｂが形成されている。図３に示すように、正面側キャビネット３における開口部３ｂの左右内側には、キートップ１０等を収容するためのボタン収容部７が一体成形されている。ボタン収容部７は、開口部３ｂ周縁から所定距離を空けた隔壁７ａと、この隔壁７ａに押圧式スイッチ６のスイッチ６ａに対応して開口した円形の貫通孔７ｂとを有する。
【００１５】
図１に示すように、貫通孔７ｂには、例えばシリコンゴムの成形品よりなる防水シート８の押圧部８ａが嵌め込まれている。例えば、この押圧部８ａには、ボール部材８ｂがインサート成形されている（なお、ボール部材８ｂは無くてもよい）。また、貫通孔７ｂの周辺に補強部材８ｃがインサート成形されて補強されている。
【００１６】
一方、キートップ１０は、樹脂成形品、金属成形品等よりなり、上下に長細い直方体状のキートップ本体１０ａと、このキートップ本体１０ａに一体に設けられた押し子１０ｂとを備えている。押し子１０ｂは、キートップ１０が押圧されたときに、ボール部材８ｂを介して押圧式スイッチ６に当接して押圧式スイッチ６を押圧する役割を果たす。そして、このキートップ本体１０ａの長手方向両端（上下両端）には、例えば矩形状のフランジ１２が一体に突設されている。なお、押し子１０ｂは、キートップ本体１０ａと別体に設けてもよく、防水シート８にボール部材８ｂの代わりにインサート成形されていてもよい。図４に示すように、フランジ１２の開口部周縁裏面３ｃ側には、開口部周縁裏面３ｃに対して平行な平坦面１２ａと、この平坦面１２ａに対して傾斜する傾斜面１２ｂとが設けられている。これら平坦面１２ａ及び傾斜面１２ｂには、開口部周縁裏面３ｃに当接する弾性部材としてのクッション部材１３が貼り付けられている。クッション部材１３は、例えば、発泡層を有する樹脂製シートよりなり、図示しない両面テープ等で貼り付けられている。クッション部材１３の厚さは、厚すぎると押圧式スイッチ６がＯＮのままになる可能性があるので、キートップ１０の組付時にガタツキが生じない程度に軽く圧縮される厚さとする。
【００１７】
このように、キートップ１０の長手方向両端にクッション部材１３を設け、開口部周縁裏面３ｃに当接させているので、キートップ１０が長手方向でぐらつかない。また、防水シート８をキートップ１０と押圧式スイッチ６との間に設けているので、クッション部材１３を防水のために大きな力で圧接させる必要が無い。このため、複雑な支持構造を必要としないので、小さなスペースでも押しボタン９を配置できる。
【００１８】
弾性部材をキートップ１０の長手方向両端に設けたフランジ１２の開口部周縁裏面３ｃ側に貼り付けられたクッション部材１３とし、フランジ１２に開口部周縁裏面３ｃに対して平行な平坦面１２ａと、この平坦面１２ａに対して傾斜する傾斜面１２ｂとを設け、これら平坦面１２ａ及び傾斜面１２ｂにクッション部材１３を貼り付けた。この傾斜面１２ｂに貼り付けたクッション部材１３により、クッション部材１３の反発力が適度に軽減されるので、複雑な支持構造が不要となると共に、キートップ１０を正面側キャビネット３に組み付ける際にクッション部材１３が剥がれにくい。
【００１９】
したがって、本実施形態に係る携帯電話機１によると、押圧式スイッチ６を反応させるために必要な押込力を増加させないようにしながら、キートップ１０のぐらつきを抑え、防水機能を確実に発揮させることができる。
【００２０】
−変形例１−
図５及び図６は、実施形態の変形例１に係る押しボタン１０９を示し、フランジ１１２及び弾性部材が異なる点で上記実施形態と異なる。なお、以下の各変形例では、図１〜図４と同じ部分については同じ符号を付してその詳細な説明は省略する。
【００２１】
本変形例の弾性部材は、キートップ１１０の長手方向両端に設けた、上記実施形態のフランジ１２よりも肉厚の薄いフランジ１１２の開口部周縁裏面３ｃ側に一体成形されたエラストマー部材１１３である。エラストマー部材１１３は、通常時は開口部周縁裏面３ｃに対して若干変形するように当接している。エラストマー部材１１３は、キートップ１１０と二色成形により一体形成すればよいので、部品点数が少なくて組立が極めて容易である。なお、フランジ１１２は、上記実施形態のような傾斜面を有さなくてもよく、エラストマー部材１１３の厚さは、厚すぎると押圧式スイッチ６がＯＮのままになる可能性があるので、キートップ１０の組付時にガタツキが生じない程度に軽く圧縮される厚さとする。
【００２２】
−変形例２−
図７は、実施形態の変形例２に係る押しボタン２０９であり、弾性部材が異なる点で上記変形例１と異なる。つまり、弾性部材としてのエラストマー部材２１３は、開口部周縁裏面３ｃに向かって先細となっており、組付状態で先端が若干変形している。エラストマー部材２１３は、図７に示すように略四角錐でもよいが、略円錐形等でもよい。この変形例では、エラストマー部材２１３の反発力が適度に軽減されるので、複雑な支持構造が不要となる。
【００２３】
−変形例３−
図８は、実施形態の変形例３に係る押しボタン３０９であり、フランジ３１２及び弾性部材が異なる点で上記実施形態と異なる。すなわち、弾性部材としてのエラストマー部材３１３は、断面円形中空状であり、フランジ３１２もそれに合わせて貫通孔３１２ａを有し、エラストマー部材３１３の変形時に内部の空気が逃げられるようになっている。本変形例でも、エラストマー部材３１３の反発力をさらに軽減でき、複雑な支持構造が不要となる。
【００２４】
−変形例４−
図９は、実施形態の変形例４に係る押しボタン４０９であり、キートップ４１０及び弾性部材が異なる点で上記実施形態と異なる。すなわち、キートップ４１０側にフランジは無く、弾性部材としてのエラストマー部材４１３がフランジの役割を果たし、その腕部４１３ａが開口部周縁裏面３ｃに当接している。このように、フランジ部を弾性部材で構成しても、同様の作用効果が得られる。エラストマー部材４１３は、キートップ４１０と二色成形してもよいし、別体として組み付けてもよい。
【００２５】
（その他の実施形態）
本発明は、上記実施形態について、以下のような構成としてもよい。
【００２６】
すなわち、上記実施形態では、携帯電話機１は、ストレートタイプのものとしたが、第１の筐体と第２の筐体とが折畳み開閉可能に連結された折畳み式携帯電話機や、第１の筐体が第２の筐体に対してスライド移動可能に連結されたスライド式携帯電話機でもよい。この場合でも、押しボタンが配置される第１の筐体又は第２の筐体に本発明を適用すればよい。
【００２７】
上記実施形態では、携帯端末は、携帯電話機１としたが、ＰＨＳ（Personal Handy-phone System ）、ＰＤＡ(Personal Digital Assistant)、スマートフォン、パソコン、モバイルツール、電子辞書、電卓、ゲーム機等であってもよい。
【００２８】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００２９】
１  携帯電話機（携帯端末）、３  正面側キャビネット（筐体）、３ａ  金属フレーム、３ｂ  開口部、３ｃ  開口部周縁、４  背面側キャビネット、５  回路基板、６  押圧式スイッチ、６ａ  スイッチ、７  ボタン収容部、７ａ  隔壁、７ｂ  貫通孔、８  防水シート、８ａ  押圧部、８ｂ  ボール部材、８ｃ  補強部材、９  押しボタン、１０  キートップ、１０ａ  キートップ本体、１０ｂ  押し子、１２  フランジ、１２ａ  平坦面、１２ｂ  傾斜面、１３  クッション部材、１０９  ボタン、１１０  キートップ、１１２  フランジ、１１３  フランジ、２０９  押しボタン、２１３  エラストマー部材、３０９  押しボタン、３１２  フランジ、３１２ａ  貫通孔、３１３  エラストマー部材、４０９  押しボタン、４１０  キートップ、４１３  エラストマー部材、４１３ａ  腕部
【図１】
2014135179.tif 000003
【図２】
2014135179.tif 000004
【図３】
2014135179.tif 000005
【図４】
2014135179.tif 000006
【図５】
2014135179.tif 000007
【図６】
2014135179.tif 000008
【図７】
2014135179.tif 000009
【図８】
2014135179.tif 000010
【図９】
2014135179.tif 000011